(57)【要約】【課題】同一レール上を移動する２枚の障子の一方の突合せ框が他方の突合せ框の外側を覆うように突き合わされて閉じられる建具において、いずれの障子の突合せ框も手で開閉操作でき、操作性を向上させた建具を提供する。【解決手段】同一レール２２１上を移動する第１の障子４と第２の障子５を有し、第１の障子４と第２の障子５との突合せ框４３、５３同士が突き合わされて閉じられる建具１であり、第１の障子４の突合せ框４３は、見込み方向の一方に張り出し、第１の障子４と第２の障子５が閉じられたときに第２の障子５の突合せ框５３の見付け面５３ｂを覆う框被覆部４３３を有する。框被覆部４３３は、第２の障子５側に面する見込み面に、指を挿入可能な凹部４３４を有し、凹部４３４内に第２の障子５の突合せ框５３の見付け面５３ｂが臨んでいる。第２の障子５の突合せ框５３は、凹部４３４に臨む見付け面５３ｂから立ち上がる指掛け部５３２を有する。【選択図】図３
2019178534.tif 000002
【特許請求の範囲】
【請求項１】
同一レール上を移動する第１の障子と第２の障子を有し、前記第１の障子と前記第２の障子との突合せ框同士が突き合わされて閉じられるように構成される建具であって、
前記第１の障子の前記突合せ框は、見込み方向の一方に張り出すとともに、前記第１の障子と前記第２の障子が閉じられたときに前記第２の障子の前記突合せ框の見付け面を覆うように配置される框被覆部を有し、
前記框被覆部は、前記第２の障子側に面する見込み面に、指を挿入可能な凹部を有し、前記第１の障子と前記第２の障子が閉じられたときに前記凹部内に前記第２の障子の前記突合せ框の見付け面が臨んでおり、
前記第２の障子の前記突合せ框は、前記凹部内に臨む前記見付け面から立ち上がる指掛け部を有する、建具。
【請求項２】
前記凹部は、前記第２の障子の前記突合せ框の前記見付け面に近づくに従って、深さが深くなる傾斜面を有する、請求項１に記載の建具。
【請求項３】
前記框被覆部及び前記指掛け部は、屋外側に配置されている、請求項１又は２に記載の建具。
【発明の詳細な説明】
【技術分野】
【０００１】
本発明は、建具に関する。詳しくは、同一レール上を移動する２枚の障子が突き合わされて閉じられるように構成される建具に関する。
【背景技術】
【０００２】
従来、同一レール上を移動する２枚の障子の突合せ框同士が突き合わされて閉じられるように構成される建具が知られている（例えば、特許文献１参照）。この従来の建具は、一方の障子の突合せ框が他方の障子の突合せ框の外側を覆って呑み込むような形状を有している。これにより、２枚の障子が閉じられた際に、突合せ部の幅をほぼ突合せ框１つ分の細幅に形成することができるため、意匠性を向上させることができる。
【先行技術文献】
【特許文献】
【０００３】
【特許文献１】実用新案登録第３１７３１６１号公報
【発明の概要】
【発明が解決しようとする課題】
【０００４】
従来の建具は、突合せ部において、一方の障子の突合せ框が他方の障子の突合せ框の外側を覆う構造であるため、突合せ框が内側に配置される他方の障子は、外側を覆う突合せ框が邪魔となり、内側の突合せ框を直接手で開閉操作することができない。このため、突合せ框が内側に配置される他方の障子のみを開閉操作することが困難であるという問題があった。
【０００５】
そこで、本発明は、同一レール上を移動する２枚の障子の突合せ框同士が突き合わされて閉じられ、一方の突合せ框が他方の突合せ框の外側を覆うように配置される建具において、いずれの障子の突合せ框も手で開閉操作することができ、操作性を向上させることのできる建具を提供することを目的とする。
【課題を解決するための手段】
【０００６】
（１）  本発明に係る建具は、同一レール（例えば、後述のレール２２１）上を移動する第１の障子（例えば、後述の障子４）と第２の障子（例えば、後述の障子５）を有し、前記第１の障子と前記第２の障子との突合せ框（例えば、後述の突合せ框４３、５３）同士が突き合わされて閉じられるように構成される建具（例えば、後述の建具１）であって、前記第１の障子の前記突合せ框は、見込み方向の一方（例えば、後述の屋外側）に張り出すとともに、前記第１の障子と前記第２の障子が閉じられたときに前記第２の障子の前記突合せ框の見付け面（例えば、後述の見付け面５３ｂ）を覆うように配置される框被覆部（例えば、後述の框被覆部４３３）を有し、前記框被覆部は、前記第２の障子側に面する見込み面（例えば、後述の第３壁部４３３ｃにより構成される面）に、指を挿入可能な凹部（例えば、後述の凹部４３４）を有し、前記第１の障子と前記第２の障子が閉じられたときに前記凹部内に前記第２の障子の前記突合せ框の見付け面が臨んでおり、前記第２の障子の前記突合せ框は、前記凹部内に臨む前記見付け面から立ち上がる指掛け部（例えば、後述の指掛け部５３２）を有する。
【０００７】
（２）  （１）に記載の建具において、前記凹部は、前記第２の障子の前記突合せ框の前記見付け面に近づくに従って、深さが深くなる傾斜面（例えば、後述の傾斜面４３３ｇ）を有することが好ましい。
【０００８】
（３）  （１）又は（２）に記載の建具において、前記框被覆部及び前記指掛け部は、屋外側に配置されていることが好ましい。
【発明の効果】
【０００９】
本発明によれば、同一レール上を移動する２枚の障子の突合せ框同士が突き合わされて閉じられ、一方の突合せ框が他方の突合せ框の外側を覆うように配置される建具において、いずれの障子の突合せ框も手で開閉操作することができ、操作性を向上させることのできる建具を提供することができる。
【図面の簡単な説明】
【００１０】
【図１】本発明に係る建具の一実施形態を示す正面図である。
【図２Ａ】図１に示す建具の開閉操作を説明する模式図である。
【図２Ｂ】図１に示す建具の開閉操作を説明する模式図である。
【図２Ｃ】図１に示す建具の開閉操作を説明する模式図である。
【図３】図１に示す建具における第１の障子と第２の障子の突合せ部の拡大横断面図である。
【図４】図１に示す建具における第２の障子の開閉操作時の様子を示す突合せ部の拡大横断面図である。
【図５】図１に示す建具における第１の障子と第２の障子の突合せ部の他の実施形態を示す拡大横断面図である。
【発明を実施するための形態】
【００１１】
以下、本発明の実施形態について図面を用いて詳細に説明する。
図１は、本発明に係る建具の一実施形態を示す正面図であり、建具を屋内側から見た状態を示している。この建具１は、上横枠２１と下横枠２２と左右一対の縦枠２３、２３とで矩形に形成された枠体２の内側に、４枚の障子３〜６を備えている。図１は、これら４枚の障子３〜６が全て閉じられた状態を示している。建具１は、このように４枚の障子３〜６が閉じられることにより、屋内側と屋外側とを隔てるように構成される。
【００１２】
４枚の障子３〜６のうち、中央に配置される２枚の障子４、５は、上横枠２１及び下横枠２２に形成された図示しない同一のレール上を左右にスライド移動するように枠体２に取り付けられている。また、両端に配置される２枚の障子３、６は、上横枠２１及び下横枠２２に、中央の障子４、５がスライド移動するレールの屋外側に平行に配置された図示しない同一のレール上を左右にスライド移動するように枠体２に取り付けられている。
【００１３】
この建具１は、両端の障子３、６がそれぞれ縦枠２３、２３に突き当てられるとともに、これらの障子３、６の屋内側に配置される障子４、５が、建具１の中央部で突き合わされることにより閉じられる。閉じられた状態において、建具１の中央部に、障子４と障子５との突合せ部１０が構成される。この建具１において、中央に配置される２枚の障子４、５のうちの一方（図１における左側）の障子４が、本発明の第１の障子に対応し、他方（図１における右側）の障子５が、本発明の第２の障子に対応する。
【００１４】
障子４は、それぞれ横方向に延びる上框４１と下框４２と、障子４の戸先側（図１における右側）に縦方向に延びる突合せ框４３と、障子４の戸尻側（図１における左側）に縦方向に延びる縦框４４とで矩形に枠組みされた内側に、ガラスＧが収容されている。また、障子５は、それぞれ横方向に延びる上框５１と下框５２と、障子５の戸先側（図１における左側）に縦方向に延びる突合せ框５３と、障子５の戸尻側（図１における右側）に縦方向に延びる縦框５４とで矩形に枠組みされた内側に、ガラスＧが収容されている。なお、図１における障子４の突合せ框４３は、詳細には後述するが、障子５の突合せ框５３に隠れて見えていない。中央の障子４と障子５とは、それぞれの突合せ框４３、５３同士が突き合わされることにより閉じられ、中央部で突き合わされた突合せ框４３、５３により、突合せ部１０が構成される。
【００１５】
障子３、６は、それぞれ横方向に延びる上框３１、６１と下框３２、６２と、それぞれ縦方向に延びる縦框３３、３４、６３、６４とで矩形に枠組みされた内側に、ガラスＧが収容されている。図１において、障子３の戸先側（図１における右側）に配置される縦框３３は、障子４の縦框４４に隠れて見えていない。また、障子６の戸先側（図１における左側）に配置される縦框６３は、障子５の縦框５４に隠れて見えていない。障子３、６のそれぞれ縦框３４、６４の屋内側及び屋外側には、開閉操作のための手掛け部３５、６５が、縦框３４、６４の延び方向（図１における上下方向）に沿って凹設されている。
【００１６】
建具１の縦方向の中ほどには、障子３と障子４とに亘り、及び障子５と障子６とに亘り、それぞれ両者を施錠するクレセント錠７、７が取り付けられている。また、障子３、６の下框３２、６２には、それぞれ障子４及び障子５を施錠する補助ロック機構８、８が取り付けられている。
【００１７】
次に、図２Ａ〜図２Ｃを用いて、障子４、５の概略形状及びこれら障子４、５の開閉操作について説明する。図２Ａ〜図２Ｃは、それぞれ建具１の開閉操作を説明する模式図であり、平面視した障子３〜６を示している。図２Ａ〜図２Ｃにおいて、障子３〜６がスライド移動する２本のレールの図示は省略した。
障子４の戸先側に配置される突合せ框４３は、屋外側に向けて張り出す形状に形成されている。具体的には、突合せ框４３は、屋外側に向けて略垂直方向に突出して張り出しているとともに、その張り出した部位が、障子５の突合せ框５３の屋外側の見付け面を覆うように、障子５側に変位した形状に形成されている。
【００１８】
障子４の戸尻側の縦框４４は、屋内側に向けて張り出す形状に形成されている。具体的には、縦框４４は、突合せ框４３とは逆に、屋内側に向けて略垂直方向に突出して張り出している。この縦框４４は、障子３の縦框３３とオーバーラップする位置に配置されることにより、障子３の縦框３３を屋内側から覆い隠すように配置されている。
【００１９】
一方、障子５の戸先側に配置される突合せ框５３は、障子４の突合せ框４３とは逆に、屋内側に向けて張り出す形状に形成されている。具体的には、突合せ框５３は、屋内側に向けて略垂直方向に突出するように張り出しているとともに、その張り出した部位が、障子４の突合せ框４３の屋内側の見付け面を覆うように、障子４側に変位した形状に形成されている。
【００２０】
障子５の戸尻側の縦框５４も、突合せ框５３と同様に、屋内側に向けて張り出す形状に形成されている。具体的には、縦框５４は、突合せ框５３と同様に、屋内側に向けて略垂直方向に突出するように張り出している。この障子５の縦框５４は、障子６の縦框６３とオーバーラップする位置に配置されることにより、障子６の縦框６３を屋内側から覆い隠すように配置されている。
【００２１】
次に、この建具１における各障子３〜６の開閉操作について説明する。
障子４を屋内側から開閉操作する場合は、図２Ａに示すように、屋内側に張り出している障子４の縦框４４を手で掴んで白抜き矢印の方向にスライド移動させる。障子５を屋内側から開閉操作する場合は、図２Ｂに示すように、屋内側に張り出している障子５の突合せ框５３又は縦框５４を手で掴んで白抜き矢印の方向にスライド移動させる。
【００２２】
また、障子４を屋外側から開閉操作する場合は、図２Ｃに示すように、屋外側に張り出している障子４の突合せ框４３を手で掴んで白抜き矢印の方向にスライド移動させる。障子３及び障子６の開閉操作は、屋内側及び屋外側のいずれからも手掛け部３５、６５を利用して行うことができる。
【００２３】
一方、障子５の突合せ框５３は、障子４の突合せ框４３に覆われ、屋外側に張り出した部位を持たないため、この障子５のみを屋外側から開閉操作しようとしても、上記のように突合せ框５３を手で掴んでスライド移動させることはできない。このため、障子４、５の突合せ框４３、５３は、以下に説明する構成を備えることにより、屋外側から障子５の突合せ框５３を直接手で開閉操作することが可能とされる。
【００２４】
この障子４、５の突合せ框４３、５３の更に具体的な構成について図３を用いて説明する。図３は、図１に示す建具１における障子４と障子５との突合せ部１０の拡大横断面図である。図３において、障子４と障子５は、同一のレール２２１上をスライド移動可能に配置されている。
【００２５】
障子４の突合せ框４３は、アルミ材により押出し成形され、２つのスペーサＳによって間隔を空けて配置された３枚のガラスＧを、ガスケット４ａを介して収容している。突合せ框４３の突合せ面（障子５と突き合わされる面）４３ａには、障子５に向けて略垂直に立ち上がる立壁部４３１を一体に有している。突合せ框４３の屋内側の見付け面は、樹脂製カバー４３２によって覆われている。これにより、障子４は断熱性に優れる。
【００２６】
突合せ框４３は、屋外側に向けて突出して張り出した框被覆部４３３を一体に有している。框被覆部４３３は、突合せ框４３の延び方向（図１における上下方向）に沿って形成されている。框被覆部４３３は、障子４のガラスＧの面（ガラスＧの屋外側の面）に対して略垂直方向に立ち上がる第１壁部４３３ａと、この第１壁部４３３ａの屋外側の端部から障子５側に向けて屈曲し、障子４のガラスＧの面と略平行に延びる第２壁部４３３ｂとを一体に有する。
【００２７】
第２壁部４３３ｂの表面は、突合せ框４３及び框被覆部４３３の屋外側の見付け面を形成する。この第２壁部４３３ｂは、突合せ框４３の突合せ面４３ａよりも障子５側に突出している。第２壁部４３３ｂは、突合せ面４３ａよりも障子５側に向けて大きく延び、障子５の突合せ框５３の屋外側の見付け面５３ｂの全体を実質的に覆い隠している。これにより、突合せ框４３は、障子５側に変位した形状とされる。このため、建具１を屋外側から観察した場合、突合せ部１０の幅は、実質的に障子４の突合せ框４３の見付け面の幅（第２壁部４３３ｂの幅）だけの細幅状となり、建具１の意匠性向上が図られている。
【００２８】
また、第２壁部４３３ｂの障子５側の端部は、屋内側に向けて屈曲し、第１壁部４３３ａと略平行に延びる第３壁部４３３ｃを一体に有する。この第３壁部４３３ｃは、屋内側に向けて延びることにより、框被覆部４３３の障子５側に面する見込み面を構成するが、その屋内側への延び量は小さい。このため、障子４と障子５とが閉じられた状態で、障子５の突合せ框５３の見付け面５３ｂとの間に大きなスペースが空けられている。これにより、框被覆部４３３の第３壁部４３３ｃの部位以外の障子５側に面する見込み面は、開放状態とされている。
【００２９】
更に、框被覆部４３３は、第２壁部４３３ｂにおける第３壁部４３３ｃよりも第１壁部４３３ａ寄りの位置から屋内側に向けて第１壁部４３３ａと略平行に延びる第４壁部４３３ｄと、この第４壁部４３３ｄの屋内側の端部から第１壁部４３３ａに向けて屈曲し、第２壁部４３３ｂと略平行に延びて突合せ面４３ａに接続される第５壁部４３３ｅとを一体に有する。
【００３０】
これら第４壁部４３３ｄと第５壁部４３３ｅとにより、框被覆部４３３の障子５側の見込み面に、開閉操作時に指が十分に挿入可能となる大きさの凹部４３４が形成される。この凹部４３４により、框被覆部４３３は、障子５側に面する見込み面が窪んだ形状とされる。凹部４３４は、突合せ框４３の延び方向に沿って形成されている。
【００３１】
第４壁部４３３ｄは、建具１の横方向（図３の左右方向）に見て、障子５の突合せ框５３の突合せ面（障子４と突き合わされる面）５３ａとほぼ同一位置に配置されている。この第４壁部４３３ｄを底部とする凹部４３４内には、障子５の突合せ框５３の屋外側の見付け面５３ｂの一部が臨んでいる。
【００３２】
一方、障子５の突合せ框５３も、２つのスペーサＳによって間隔を空けて配置された３枚のガラスＧを、ガスケット５ａを介して収容している。突合せ框５３の屋外側の見付け面５３ｂは、突合せ面５３ａよりも障子４側に向けて延長され、障子４の突合せ框４３の突合せ面５３ａに形成された立壁部４３１とオーバーラップしている。延長された見付け面５３ｂの先端には、第１気密材５３１が取り付けられ、立壁部４３１との間を封止している。
【００３３】
この突合せ框５３の屋外側の見付け面５３ｂには、戸尻側（図３における右側）の端縁部に、屋外側に向けて略垂直に立ち上がる指掛け部５３２が一体に形成されている。この指掛け部５３２は、突合せ框５３の延び方向に沿って形成されている。指掛け部５３２は、建具１の横方向（図３の左右方向）に見て、障子４の突合せ框４３の框被覆部４３３における第３壁部４３３ｃとほぼ同一位置に配置されている。指掛け部５３２の立ち上がり量は指が引っ掛けられる程度の僅かなものである。障子４の突合せ框４３における框被覆部４３３の凹部４３４は、この指掛け部５３２と、框被覆部４３３の第３壁部４３３ｃとの間に開口している。
【００３４】
また、突合せ框５３は、突合せ面５３ａの屋内側の端部に、断熱のためのブリッジ部５３３を介して、屋内側に向けて突出して張り出した框被覆部５３４を有している。框被覆部５３４は、ブリッジ部５３３と接続され、アルミ材により一体に押出し成形された框被覆部本体５３５と、この框被覆部本体５３５の外側を覆う樹脂製カバー５３６とで構成される。
【００３５】
框被覆部本体５３５は、障子５のガラスＧの面（ガラスＧの屋内側の面）に対して略垂直方向に立ち上がる第１壁部５３５ａと、この第１壁部５３５ａの屋外側の端部から障子４側に向けて屈曲し、障子５のガラスＧの面と略平行に延びる第２壁部５３５ｂと、この第２壁部５３５ｂの障子４側の端部から屋外側に向けて屈曲し、第１壁部５３５ａと略平行に延びる第３壁部５３５ｃと、この第３壁部５３５ｃの屋外側の端部から障子５側に向けて屈曲し、第２壁部５３５ｂと略平行に延びる第４壁部５３５ｄと、この第４壁部５３５ｄの障子５側の端部から屋外側に向けて屈曲し、ブリッジ部５３３と連結される第５壁部５３５ｅとを一体に有する。
【００３６】
このうちの第２壁部５３５ｂは、突合せ框５３の突合せ面５３ａよりも障子４側に突出している。第２壁部５３５ｂは、障子４側に向けて大きく延び、障子４の突合せ框４３の屋外側の見付け面である樹脂製カバー４３２のほぼ全体を実質的に覆い隠している。これにより、突合せ框５３は、障子４側に変位した形状とされる。このため、建具１を屋内側から観察した場合、突合せ部１０の幅は、図１に示すように、実質的に障子５の突合せ框５３の見付け面の幅だけの細幅状となり、建具１の意匠性向上が図られている。
【００３７】
第４壁部５３５ｄと障子４の突合せ框４３の樹脂製カバー４３２との間には、大きなスペースが空けられている。この第４壁部５３５ｄの屋外側の面には、第２気密材５３７が取り付けられ、障子４の突合せ框４３の樹脂製カバー４３２との間を封止している。
【００３８】
突合せ框５３の樹脂製カバー５３６は、第１壁部５３５ａ、第２壁部５３５ｂ及び第３壁部５３５ｃに亘って、これらの外側（屋内側）を覆っている。これにより、障子５は断熱性に優れる。
【００３９】
次に、この障子５を屋外側から開閉操作する場合は、図４に示すように、障子４の突合せ框４３の框被覆部４３３に形成された凹部４３４内に指を挿入し、その指の先端を障子５の突合せ框５３に形成された指掛け部５３２に引っ掛ける。そして、障子５を白抜き矢印の方向にスライド移動させることで、障子５を屋外側から容易に開閉操作することが可能となる。指掛け部５３２は、障子４の框被覆部４３３の第３壁部４３３ｃとほぼ同一面上に配置されるため、建具１を屋外側から観察した際の突合せ部１０の意匠性を損なうおそれはない。
【００４０】
図５は、障子４の突合せ框４３の他の実施形態を示しており、図３、図４と同様に、建具１における障子４と障子５との突合せ部１０の拡大横断面図を示している。図３、図４と同一符号の部位は同一構成の部位であるため、それらの説明については省略する。
この障子４の突合せ框４３の框被覆部４３３は、第３壁部４３３ｃの屋内側の端部から障子４側に向けて屈曲し、第２壁部４３３ｂと略平行に延びる第６壁部４３４ｆを有している。第４壁部４３３ｄの屋外側の端部は、この第６壁部４３４ｆの端部と一体に接続されている。
【００４１】
第４壁部４３３ｄは、図３の場合に比べて、障子５側に片寄って配置され、それだけ凹部４３４の深さが浅くなっている。このため、突合せ框４３を屋外側から観察した際に、凹部４３４が大きな窪みとして観察されることが避けられ、更に意匠性が向上する。この第４壁部４３３ｄは、屋内側に向けて第１壁部４３３ａと略平行に延びているが、框被覆部４３３の突出高さ方向（図５の上下方向）の中央部付近から、障子４側に向けて傾斜する傾斜面４３３ｇとなっている。傾斜面４３３ｇは、建具１の横方向（図５の左右方向）における障子５の突合せ框５３の突合せ面５３ａとほぼ同一位置で、第５壁部４３３ｅと接続されている。
【００４２】
突合せ框４３の框被覆部４３３に形成される凹部４３４の底部は、傾斜面４３３ｇを有することにより、障子５の突合せ框５３の屋外側の見付け面５３ｂに近づくに従って、深さが深くなる。このため、指掛け部５３２に指を引っ掛けるために凹部４３４内に指を挿入する際、傾斜面４３３ｇにガイドされ、指掛け部５３２の裏側に指を円滑に挿入することが可能となる。
【００４３】
以上の実施形態では、凹部４３４及び指掛け部５３２は、建具１の屋外側に配置されるように構成されるが、建具１の屋内側に配置されるように構成されてもよい。また、図示しないが、凹部４３４及び指掛け部５３２は、障子４の突合せ框４３及び障子５の突合せ框５３の両方に形成されてもよい。
【００４４】
図１に示した建具１の両端に配置される障子３、６は、枠体２に移動不能に固定されていてもよい。また、本発明における建具１の障子は４枚に限定されず、少なくとも２枚の障子が突き合わされて閉じられるように構成されるものであればよい。
【符号の説明】
【００４５】
１  建具
４、５  障子
４３、４３  突合せ框
５３ｂ  見付け面
２２１  レール
４３３  框被覆部
４３３ｇ  傾斜面
４３４  凹部
５３２  指掛け部
【図１】
2019178534.tif 000003
【図２Ａ】
2019178534.tif 000004
【図２Ｂ】
2019178534.tif 000005
【図２Ｃ】
2019178534.tif 000006
【図３】
2019178534.tif 000007
【図４】
2019178534.tif 000008
【図５】
2019178534.tif 000009